(57)【要約】      （修正有）【課題】芝を植え付けした駐車場等緑化舗装は、散水、施肥、除草、刈り込み等のメンテナンスが必須であり、冬枯れ等により景観を損なうこともある。メンテナンスの軽減を図り、ヒートアイランド現象の緩和、軽減、景観の向上と癒し効果のある駐車場等緑化舗装を提供する。【解決手段】合成樹脂で一定成型された凸凹状のベース基盤の凹部５に土壌を入れずに砂や砕石・軽石状の無機質軽量資材等１０を敷き、その上にスナゴケ１１を載せ植付けして、活着させる。【選択図】図３
2011043040.tif 000002
【特許請求の範囲】
【請求項１】
複数の支持用の凸部を有し、上記凸部の間に形成された凹部に充填された下地にスナゴケを活着させたことを特徴とする緑化舗装。
【請求項２】
複数の支持柱と、上記支持柱間に形成された凹部を備えたベース基盤と、上記凹部の少なくとも底部に充填されたコケ用の下地と、上記下地に植付けられたコケよりなる緑化舗装。
【請求項３】
ベース基盤の周縁部に連結部が形成されていることを特徴とする請求項２記載の緑化舗装。
【請求項４】
箱状の枠体の底部と一体に複数の支持用の凸部を設け、上記凸部の間に形成された凹部の底部に充填された砂等の下地にスナゴケを活着させたことを特徴とする緑化パネル。
【請求項５】
請求項４記載の凹部の底部に充填された下地は軽石状の無機質軽量資材であることを特徴とする緑化パネル。
【請求項６】
請求項５記載の軽石状の無機質軽量資材は、廃びんガラス等を主原料に高温で溶融発泡させた多孔質軽量資材のリサイクル材であることを特徴とする緑化パネル。
【請求項７】
箱状の枠体と上記枠体の底部と一体に形成された複数の支持用の凸部と、上記凸部と一体に連接されて、上記凸部とともに複数の凹部を形成する隔壁を備えたことを特徴とする緑化パネル用枠体。
【請求項８】
上記凹部がハニカム構造状の凹部であることを特徴とする請求項７記載の緑化パネル用枠体。
【請求項９】
箱状の枠体が矩形である請求項７記載の緑化パネル用枠体。
【請求項１０】
隔壁にはＵ字状の切り込みが形成されていることを特徴とする請求項７記載の緑化パネル用枠体。
【請求項１１】
凹部の底部には、底部に溜まった余分な水分を除去するための穴を備えていることを特徴とする請求項７記載の緑化パネル用枠体。
【発明の詳細な説明】
【技術分野】
【０００１】  本発明は、スナゴケを活着させた駐車場等緑化舗装、緑化パネル並びに緑化パネル用枠体に関するものである。
【背景技術】
【０００２】  従来の駐車場用の緑化舗装は、合成樹脂やコンクリート及び金物等で出来たベース基盤の間に土や砂を充填し芝を植え付けしたものである。この場合、芝を育成する為に土壌が必要であり、芝は根の有る植物である為、散水、施肥、除草、刈り込み等のメンテナンスが必須で、芝は概ね冬枯れ等により景観を損なうこともあるという欠点がある。また、ベース基盤の敷設施工には、地面を掘り下げて整地し、砕石材を投入して転圧、整地のうえ真砂土等を敷きならし、ベース基盤を押し込むようにして組み立てるという手間が掛かる。
【先行技術文献】
【特許文献】
【０００３】
【特許文献１】特許公開平１１−２６９８１０公報
【特許文献２】特許公開２０００−２２８９１８公報
【特許文献３】特許公開２００４−１２４６５７公報
【非特許文献】
【０００４】
【非特許文献１】平成２０年４月  グラスパーキング兵庫モデル創造事業検証委員会「グラスパーキング（芝生化駐車場）普及ガイドライン  第１次（案）」
【発明の概要】
【発明が解決しようとする課題】
【０００５】  従来の発明は、上記の通り土壌を必要とする芝をベース基盤の間に植え付けしたものである為、散水、施肥、除草、刈り込み等のメンテナンスを必要としたが、本発明は、このような課題を解決し、メンテナンス不要な植物による緑化舗装を行うものである。
【課題を解決するための手段】
【０００６】  このような課題を解決する為に、請求項１及び２の発明では、複数の支持柱と、上記支持柱間に形成された凹部を備えたベース基盤と、上記凹部の少なくとも底部に充填されたスナゴケ用の下地と、上記下地に植付けられたスナゴケより緑化舗装を構成した。【０００７】  請求項４の発明では、箱状の枠体の底部と一体に複数の支持用の凸部を設け、上記凸部の間に形成された凹部の底部に充填された砂等の下地にスナゴケを活着させて緑化パネルを構成した。【０００８】  請求項７の発明では、箱状の枠体と上記枠体の底部と一体に形成された複数の支持用の凸部と、上記凸部と一体に連接されて、上記凸部とともに複数の凹部を形成する隔壁を備えて緑化パネル用枠体を構成した。
【発明の効果】
【０００９】  請求項１及び２の発明では、緑化用の植物としてスナゴケを用いたことにより、散水、施肥、刈り込み等のメンテナンスが不要で、年中緑を保てる緑化舗装を提供することができ、請求項１及び２に示すような構造にすることにより、自動車や人等の積載荷重に耐え得る緑化舗装を提供できる。【００１０】  請求項４の発明によれば、施工現場でスナゴケを下地に活着させる必要を無くして、建物屋上や駐車場の緑化等用途に応じた場所に容易に搬入して、建物屋上や駐車場の面積に応じた必要な枚数を縦横に接着して敷き並べるだけの簡単工法により、屋上緑化や駐車場緑化を提供できる。
【発明を実施するための形態】
【００１１】  以下、具体的な実施形態について図面を参照して説明するが、本発明は以下の実施形態に限定されるものではない。
【００１２】  図１及び図２において、１は本発明に使用する合成樹脂で一体成型された凸凹状のベース基盤である。２は等高、縦横に一定間隔に並んだ凸状の支持柱であって下面が開放部となった中空で、自動車の荷重に耐えることが出来る。３は支持柱２の頂上部で平坦に形成されている。隣接する凸状の支持柱２は側壁４によって連結されており、このような支持柱２間に凹部５が形成されている。凹部５の底部には水はけの為の穴６が開いている。
【００１３】  ７は貫通孔７′を有する筒状の差し込み軸で、図１で示すようにベース基盤１の左辺とその隣接する辺（図１では上部）に支持柱２に並んで一体に形成されている。８は受け軸であり、図１で示すようにベース基盤１の右辺とその隣接する辺（図１では下部）に支持体２に並んで一定に形成されていて、両端には受け軸８とは形状の異なる端部受け軸９が設けられている。受け軸８は、筒状の差し込み軸７の貫通孔７′に嵌合する外形を有する棒状に形成されている。端部受け軸９は、筒状の差し込み軸７の貫通孔７′に嵌合する外形を有する棒状に形成されていて、軸方向に割目を持ち、各々の辺９−１，９−２の頭部には抜け止め用の係止部９ａ、９ｂが一体に形成されている。
【００１４】  ベース基盤１は、筒状差し込み軸７を他のベース基盤１の受け軸８と端部受け軸９に差し込んで縦横方向に繋ぎ合せ、駐車場スペースを形成する。端部受け軸９を筒状の差し込み軸７に差し込んだ際に端部受け軸９の係止部９ａ、９ｂが筒状差し込み軸７の貫通孔７′を貫通した際に広がり、差し込み軸７の端面に係合して受け止めの機能を果たし、隣接するベース基盤１をしっかりと固定することが出来る。
【００１５】  図３は、図１、図２に示したベース基盤１にコケを成長させた状態を示すもので、コンクリートやアスファルト１２上にそのまま必要な面積に応じて所望の数だけ連結したベース基盤１を設置し、各ベース基盤１の凹部５に砕石や砂よりなる下地１０を敷き、その上にスナゴケ１１を活着させ、成長させる。ここで、スナゴケ１１が成長しても支持柱２の頂上部３との間に空間が出来る程度に充填する砕石や砂よりなる下地１０の量を調整しておく。
【００１６】  図４は、スナゴケ１１を活着させた緑化舗装の駐車場用に使用した場合の使用例であり、１３は支持柱２に載った自動車のタイヤでスナゴケ１１の頭頂部に触れていない。
【００１７】  図５は、ベース基盤１を既設のコンクリートやアスファルト１２の上に直接敷設することによる段差を解消するために、駐車場スロープ１４をビス１５でもって固定した実施例である。
【００１８】  本発明は、緑化植物としてスナゴケ１１を使用するのが特徴である。スナゴケ１１には根が無いので地中に向かって成長することはなく、既設のコンクリートやアスファルト１２の上に直接ベース基盤を敷設することができ、工法が簡素化し、工期が短縮できる。
【００１９】  蘚類のスナゴケ１１を使用するのは、スナゴケ１１は好日性で乾燥に強く、仮死状態で生命の維持が出来、寒さ暑さにとても強い。土壌は不要で、砂、石等無機質基盤で育つコケ植物である。
【００２０】  上記のスナゴケ用の下地として土壌の代わりに砕石や砂１０を敷く為、スナゴケ１１の生育に必要な透水性も良く、雑草が生え難いので除草の必要も殆ど無い。根が無いスナゴケ１１は葉で自然からの水分を取り込んで光合成をして成長する為、根のある一般の植物や芝のように土壌、施肥の必要が無く、成長も遅く数年経過しても１〜２ｃｍ程度しか成長しないので刈り込みの必要も無い等メンテナンスは殆ど必要としない。スナゴケ１１は自然の水分だけでは収縮する可能性があるが、散水することでその問題は解決する。
【００２１】  次に本発明の第２の実施形態について図面を参照して説明する。この第２の実施形態は、スナゴケの圃場等で製作したものを現場に搬入して容易に施工できるものである。
【００２２】  図６及び図７において、２０１は本発明に使用する合成樹脂で一定成型された箱状の枠体である。２０２は上記箱状の枠体２０１の外枠を構成する側壁である。２０３は縦横に一定間隔に並んで、同じ高さに揃うように設けられた支持用の凸部であって、三方に等角度で補強部２０３ａを備えている。支持用の凸部２０３と補強部２０３ａとは、箱状の枠体２０１の底板２０７と一定に形成されており、自動車や人等の荷重に耐えることが出来る強度を有するように構成されている。２０４は支持用の凸部２０３の頂上部であり平坦に形成されている。２０５は隣接する支持用の凸部２０３の補強部２０３ａを連結する隔壁である。２０５ａは隔壁２０５に設けられたＵ字状の切り込みである。２０６は隣接する支持用の凸部２０３の補強部２０３ａを連結している隔壁２０５によって形成されたハニカム構造状の凹部である。２０８は底板２０７に水はけ用として設けられた穴である。水はけ用の穴２０８は、実施形態の例示では１個であるが、必要に応じて複数個開けることもできる。Ｕ字状の切り込み２０５ａを設けたのは次のような理由による。隣接する凹部２０６の個々の底部は隔壁２０５により分離されて独立しているが、Ｕ字状の切り込み２０５ａを設けることにより、凹部２０６の上記は隣接する凹部２０６と繋がった状態になっている。
【００２３】  図８は箱状の枠体２０１を逆さにした状態を示すものである。２１０は底板２０７の裏面に等間隔に平行に設けられた突条であり、２１１は複数の突条２１０の間の溝で水はけ用として設けている。
【００２４】  図９は、図６で示した箱状の枠体２０１の凹部２０６に下地を充填した状態を示したものである。凹部２０６の隔壁２０５にＵ字状の切り込み２０５ａを設けているので、凹部２０６に充填した下地の表面は隣接する凹部２０６の上部と一様に繋がった状態になるので、コケを下地の表面に敷き並べ活着させた場合に、生育したコケも一様に繋がった状態になり、見栄えが良くなる。
【００２５】  図９において、２１２は下地として充填された軽石状の無機質資材である。
【００２６】  図１０は、図９で示した下地として充填した軽石状の無機質資材２１２にスナゴケ１１を活着成長させて緑化パネルを形成した状態を示す一部断正面図である。建物屋上や既設駐車場のコンクリートやアスファルト１２上にそのまま必要な面積に応じて所望の数だけ接着して敷き並べる。
ここで、スナゴケ１１が成長しても支持用凸部２０３の頂上部２０４との間に空間が出来る程度に下地として充填する軽石状の無機質資材２１２の量を調整しておく。
【００２７】  大阪府立大学の村瀬教授の研究によると、スナゴケの年間平均ＣＯ２固定量は１１７ｇ／ｍ２／年／１０Ｋｇ（スナゴケの成長期間を３カ月／年とする）に対して、ヨーロッパ標準規格の標準杉の年間ＣＯ２固定量は樹齢５０年、直径２６ｃｍ、樹高２６ｍ、９５０Ｋｇの杉の専有する５ｍ２の固定量は８ｇ／ｍ２／年／１０ｋｇであり、スナゴケは杉の１４．６倍のＣＯ２固定能力がある。また、上記のベース基盤を使用することにより、長期間に亘ってスナゴケの仮根が砕石や砂に活着することによってスナゴケが長期間良好に生育し、ＣＯ２の固定化、ヒートアイランド現象の緩和、軽減、景観の向上と癒し効果等、地球温暖化防止と環境改善に資することが出来る。
【産業上の利用の可能性】
【００２８】  本発明は、ヒートアイランド現象の緩和等環境に優しい上に、メンテナンスが殆ど不要な駐車場等緑化舖装並びに緑化パネルを提供する。
【図面の簡単な説明】
【００２９】
【図１】は駐車場等緑化舗装で使用するベース基盤の斜視図。
【図２】は駐車場等緑化舗装で使用するベース基盤を真上から見た平面図の一部分。
【図３】はベース基盤の凹部に砕石や砂を敷き、その上にスナゴケを活着させた駐車場等緑化舗装の実例を示す断面図。
【図４】は駐車場等緑化舗装に自動車のタイヤが載った実施例の断面図。
【図５】はベース基盤を敷設することによる段差を解消するため、駐車場スロープで固定した実施例を示す断面図。
【図６】は緑化パネルを構成する合成樹脂で一体成型された箱状の枠体の斜視図。
【図７】は箱状の枠体を真上から見た平面図。
【図８】は箱状の枠体を逆さにした状態の平面図。
【図９】は箱状の枠体の凹部に下地として軽石状の無機質資材を充填した状態を示した図。
【図１０】は箱状の枠体の凹部に下地として軽石状の無機質資材を充填した上にスナゴケを活着させた状態を示した一部断正面図。
【符号の説明】
【００３０】    １  ベース基盤
２  凸状の支持柱
３  凸状の支持柱２の頂上部
４  隣接する凸状の支持柱２を連結する隔壁
５  複数の支持柱２とそれらを連結する隔壁４よって形成された凹部
６  凹部の底部の水はけの為の穴
７  複数のベース基盤１を連結するための筒状の差し込み軸
７′  筒状の差し込み軸７の貫通孔
８  複数のベース基盤１を連結するための受け軸
９  複数のベース基盤１を連結し固定するための端部受け軸
９−１、９−２  端部受け軸９の軸方向の割目の各々の辺
９ａ、９ｂ  端部受け軸９の軸方向の割目の各々の辺９−１，９−２の頭部の抜け止め用の係止部
１０  砕石や砂よりなる下地
１１  スナゴケ
１２  既設のコンクリート面またはアスファルト面
１３  自動車のタイヤ
１４  駐車場スロープ
１５  駐車場スロープを固定するビス
２０１  合成樹脂で一体成型された箱状の枠体
２０２  箱状の枠体２０１の外枠を構成する側壁
２０３  支持用の凸部
２０３ａ  三方に等角度に設けられた、支持用の凸部２０３の補強部
２０４  支持用の凸部２０３の頂上部
２０５  隣接する支持用の凸部２０３の補強部２３０ａを連結する隔壁
２０５ａ  隔壁２０５に設けられたＵ字状の切り込み
２０６  複数の支持用の凸部２０３とそれらを連結する隔壁２０５よって形成されたハニカム構造状の凹部
２０７  凹部２０６の底板
２０８  凹部２０６の底板２０７に設けられた水はけの為の穴
２１０  箱状の枠体２０１の底面に設けられた突条
２１１  複数の突条２１０の間の溝
２１２  凹部２０６に下地として充填された軽石状の無機質資材
【図１】
2011043040.tif 000003
【図２】
2011043040.tif 000004
【図３】
2011043040.tif 000005
【図４】
2011043040.tif 000006
【図５】
2011043040.tif 000007
【図６】
2011043040.tif 000008
【図７】
2011043040.tif 000009
【図８】
2011043040.tif 000010
【図９】
2011043040.tif 000011
【図１０】
2011043040.tif 000012